(57)【特許請求の範囲】
【請求項１】
水を収容する容器中に、一対の電極を備え、当該電極に対する直流電源を備えている還元水生成装置であって、一対の電極が容器内の底部から上側に突設されずに、該底部側において側壁側に延伸した状態にある板状体表面に形成されており、一対の電極に対する直流電源として、トランジスターのコレクタ側と還元水生成装置の陰極と結合し、当該トランジスターのエミッタ側を一定のエミッタ抵抗ＲＥを介して直流電圧電源と接続し、当該トランジスターのベース側の一方側を定抵抗Ｒ１を介して還元水生成装置の陽極側を接続し、他方側を定抵抗Ｒ２を介して前記エミッタ抵抗ＲＥ及び前記直流電圧電源と接続する定電流回路を採用している還元水生成装置。
【請求項２】
板状体の上側表面が、平面形状であるか、底部の中央に向かって順次隆起した形状であるか、底部の中央に向かって順次下降した形状であるか、の何れかであることを特徴とする請求項１記載の還元水生成装置。
【請求項３】
１個の板状体のケースの上側表面上に一対の電極を形成し、かつ当該ケースの反対側面には外部の電源と接続し得る導電用の端子が設けられており、当該ケースは底部に設けられた穴と着脱自在であると共に、当該ケースを当該穴に固着した場合には、当該ケースの下面側に設けられているゴムパッキングを介して水を密封し得ることを特徴とする請求項１、２の何れか一項に記載の還元水生成装置。
【請求項４】
板状体である底部自体の上側表面上に一対の電極を形成し、かつ当該底部の反対側面には、外部の電極と接続し得る導電用の端子が設けられていることを特徴とする請求項１、２の何れか一項に記載の還元水生成装置。
【請求項５】
一対の電極が同心円状態にある２個の略円輪形状を形成していることを特徴とする請求項１、２、３、４の何れか一項に記載の還元水生成装置。
【請求項６】
注出口付近に位置している水の通過部位に多孔質であって水が透過し得る素材を配置し、当該素材にアスコルビン酸を含浸させていることを特徴とする請求項１、２、３、４、５の何れか一項に記載の還元水生成装置。
【発明の詳細な説明】
【技術分野】
【０００１】
本発明は、直流電圧を印加することによって、還元水を生成する装置において、特に電極の形状を工夫した構成に関するものである。
【背景技術】
【０００２】
一般に水の酸化還元電位として、銀−塩化銀電極を使用して測定したことによる酸化還元電位の値（ＯＲＰ値）が＋２００ｍＶを示す場合が中間値とされ、当該中間値よりも低い電位による水は還元水と称されている。
【０００３】
還元水生成装置は、必然的に一対の電極（前記の銀−塩化銀電極は、酸化還元電位の測定に使用されるも、前記一対の電極としては実際には殆ど使用されていない）を採用しているが、従来技術においては、例えば特許文献１、２に示すように、当該電極は底部から容器の上側に突設した状態にて略平行に設けられている。
【０００４】
しかしながら、このような電極の突接構造の場合には、還元水生成容器を清掃する場合、更には還元が行われた水の平均電位を測定するために容器内の水を攪拌する場合に、極めて不都合とならざるを得ない。
【０００５】
このような従来技術の状況からも明らかなように、還元水生成容器中に設けられている電極の具体的な構成については、これまで殆ど配慮されていなかったと言っても過言ではない。
【０００６】
【特許文献１】特開２００２−４５８６１号公報。
【特許文献２】特開２００３−３０５４７３公報。
【発明の開示】
【発明が解決しようとする課題】
【０００７】
本発明は容器の清掃及び容器内の水の平均還元電位の測定を目的とする攪拌を行う場合に何らの支障とならず、これらの作業を円滑に実現し得る形状の電極を具備している還元水生成装置の構成を提供することを課題としている。
【課題を解決するための手段】
【０００８】
上記課題を解決するため、本発明の基本構成は、水を収容する容器中に、一対の電極を備え、当該電極に対する直流電源を備えている還元水生成装置であって、一対の電極が容器内の底部から上側に突設されずに、該底部側において側壁側に延伸した状態にある板状体表面に形成されており、極と結合し、当該トランジスターのエミッタ側を一定のエミッタ抵抗ＲＥを介して直流電圧電源と接続し、当該トランジスターのベース側の一方側を定抵抗Ｒ１を介して還元水生成装置の陽極側を接続し、他方側を定抵抗Ｒ２を介して前記エミッタ抵抗ＲＥ及び前記直流電圧電源と接続する定電流回路を採用していることを特徴とする還元水生成装置からなる。
【発明の効果】
【０００９】
前記基本構成に基づく本発明においては、一対の電極が突設されずに、該底部側において側壁側に延伸している板状体表面に形成されているため、容器の清掃及び前記課題の項において説明したような容器の攪拌を行う場合に極めて好都合な効果を得ることができる。
のみならず、一対の電極に対する直流電源として、定電流回路を採用することによってユーザーにおいては、水質如何に拘らず一定の還元電圧値による還元水を飲用することが可能となる。
【発明を実施するための最良の形態】
【００１０】
前記基本構成においては、図１に示すように、一対の電極２１、２２に対する直流電源として定電流回路３０を採用しており、かつ容器１０の底部の下方に大抵の場合、交流を直流に変換する整流器４０を備えている。
【００１１】
定電流を印加する還元水生成装置１は、既に特願２００７−２６３８８２号出願において明らかにしたように、還元電圧の大きさを概略一定とし得ることに最大の技術上のメリットが存在し、この点は前記基本構成においても当然妥当する。
【００１２】
定電流回路３０は、トランジスター５のコレクタ側と還元水生成装置の陰極と結合し、当該トランジスターのエミッタ側を一定のエミッタ抵抗ＲＥを介して直流電圧電源と接続し、当該トランジスターのベース側の一方側を定抵抗Ｒ１を介して還元水生成装置の陽極側を接続し、他方側を定抵抗Ｒ２を介して前記エミッタ抵抗ＲＥ及び前記直流電圧電源と接続している。
前記定電流回路３０を使用して、図６（ａ）に示すように、陽極２１及び陰極２２の双方を同心円をなすような略円輪形状とし（但し、陽極２１は直径幅４．８ｃｍ〜４．０ｃｍの白金鍍金によるチタン電極を採用し、陰極２２は直径幅５．８ｃｍ〜５．０ｃｍの白金鍍金によるチタン電極を採用しているが、陽極２１と陰極２２の直径幅の大小関係は逆転することも可能である。尚、陽極２１と陰極２２の距離は１〜２ｍｍが適切であることが判明している。）、１リットルの蒸留水及びミネラルイオンを有している硬水の混合水に対し、両電極間内を導通する電流を一定（０．２Ａ）とした場合には、前記蒸留水及び前記硬水との混合比率を変化させ、当該変化によって伝導率を変化させたにも拘らず、５分間の還元時間による還元電圧値は以下の表に示すように概略一定であることが判明する。
0004854696.tif 000002
図３は、本発明の典型的な実施形態を示すが、当該実施形態に示すように、一対の電極２１、２２は容器１０の底部において上側に突設されずに、側壁側に延伸した状態にある底部を形成している板状体表面に形成されている（但し、一対の電極２１、２２は、相互に短絡状態とはなり得ないため、陰極２２と陽極２１とが接続し合っていることはあり得ない。）。
【００１３】
図３の場合には、一対の電極２１、２２が形成されている板状体が平面形状である場合を示すが、図４（ａ）のように、中心に向かって隆起した形状の場合、図５（ａ）に示すように、中心に向かって下降した形状の場合の何れも採用することが可能である。
【００１４】
図３（ａ）、図４（ａ）、図５（ａ）のような各形状は、底部下方に設けられる整流器４０等の電気器具の形状に即して適宜選択すると良い。
【００１５】
一対の電極２１、２２は、図３（ｂ）に示すように、同心円状態にある２個の略円輪形状を形成している場合、図４（ｂ）に示すような内側の矩形及び外側の該矩形の各辺と平行な両側辺によって形成された枠形状の場合、図５（ｂ）に示すような内側の正六角形形状及び外側の該正六角形の各辺と平行な両側辺によって形成された枠形状等、任意に採用することができる。
【００１６】
図３、４、５に示す実施形態においては、一対の電極２１、２２が、底部自体の上側表面上に形成し、かつ当該底部の反対側面には、外部の電極と接続し得る導電用の端子が設けられていることを特徴としている。
【００１７】
しかしながら、一対の電極２１、２２を底部の表面に形成した場合には、電極の交換をする際、極めて不都合である。
【００１８】
この点を考慮し、図６に示すように、１個の板状体のケースの上側表面上に一対の電極２１、２２を形成し、かつ当該ケースの反対側面には外部の電源と接続し得る導電用の端子が設けられており、当該ケースは底部に設けられた穴と着脱自在であると共に、当該ケースを当該穴に固着した場合には、当該ケースの下面側に設けられているゴムパッキングを介して水を密封し得ることを特徴とする実施形態の場合には、電極の交換を自在とすることが可能となり、便利である。
【００１９】
図３、４、５に示すように、本発明においては様々な形状による電極を採用し得るが、一対の電極２１、２２を導電した後には、容器１０内の還元水電位は概略一定となり、この点では従前のような底部から突設された電極の場合と変わりはない。
【００２０】
以下、実施例に即して説明する。
【実施例】
【００２１】
実施例においては、水の注出口１２付近に位置している水の通過部位に多孔質であって、水が透過し得る素材を配置し、当該素材にアスコルビン酸を含浸させていることを特徴としている。
【００２２】
アスコルビン酸は、「ビタミンＣ」の通称名を有しているが、水中の塩素を吸収する性格を有している（但し、当該吸収は、物理的な吸着を原因としているのか、又は格別の化学反応を原因としているかにつき、出願人は必ずしも把握している訳ではない。）。
【００２３】
このような点に着目して、アスコルビン酸を水道水中に溶融し、水中の塩素を吸収させる場合があるが、飲用の都度、塩素を水中に溶融させることは煩雑である。
【００２４】
実施例においては、図２に示すように、注出口１２の付近であって、水が通過する部位に多孔質の素材６にアスコルビン酸を吸着させたうえで備え、注出口１２を還元水が通過する段階に塩素の吸収を実現している。
【００２５】
前記多孔質の素材６としては、セラミック、スポンジ状のプラスチック、不織布等を採用することができる。
【００２６】
図２に示すように、注出口１２に約３６．５ｃｍ３の容積を有するセラミック中にアスコルビン酸を７ｇ吸着させたうえで還元水を通過した場合には、通過前と通過後の塩素の濃度は、０．６ｐｐｍか０ｐｐｍに変化することが判明している。
【００２７】
実施例２においては、ユーザーは本願発明の電極を利用しながら、水道水中に含まれる塩素を減少又は除去した状態の還元水を飲用することが可能となる。
【産業上の利用可能性】
【００２８】
本発明は、電極を使用した還元水生成装置の全ての構成に適用することが可能である。
【図面の簡単な説明】
【００２９】
【図１】本発明の基本構成を示しており、（ａ）はトランジスターによる定電流を実現する回路図であり（尚、還元水生成装置の存在を一点鎖線によって示し、定電流回路の領域範囲を点線によって示す。）、（ｂ）は定電流回路が配置されている断面図を示す（尚、電極については、図３の場合と同様の同心円状の略円輪形状の場合を示している。）。
【図２】実施例の注出口付近の構成を示す断面図である。
【図３】底部の板状体表面が平面形状である実施形態を示しており、（ａ）は平面図であり、（ｂ）は断面図である（（ａ）の一点鎖線は、（ｂ）の断面を形成する位置を示している。）。
【図４】電極を形成している底部の板状体表面が中心に向かって隆起している実施形態を示しており、（ａ）は平面図であり、（ｂ）は断面図である（（ａ）の一点鎖線は、（ｂ）の断面を形成する位置を示している。）。
【図５】図１、    の電極を形成している底部の板状体表面が中心に向かって下降している場合の実施形態を示しており、（ａ）は平面図であり、（ｂ）は断面図である（（ａ）の一点鎖線は、（ｂ）の断面を形成する位置を示している。）。
【図６】底部と着脱自在であるケース表面に一対の電極を形成した実施形態を示しており、（ａ）は平面図であり、（ｂ）は断面図である（尚、電極については、図３の場合と同様の同心円状の略円輪形状の場合を示しており、（ａ）の一点鎖線は、（ｂ）の断面を形成する位置を示している。）。
【符号の説明】
【００３０】
１  還元水生成装置
１０  容器
１１  容器の底部
１２  注出口
１３  脚台
２１  陽極
２２  陰極
３０  定電流回路
３  着脱自在のケース
４０  整流器
４  直流電圧電源
５  トランジスター
６  多孔質素材
【図１】
0004854696.tif 000003
【図２】
0004854696.tif 000004
【図３】
0004854696.tif 000005
【図４】
0004854696.tif 000006
【図５】
0004854696.tif 000007
【図６】
0004854696.tif 000008